(57)【要約】【課題】偏頭痛の解消に有効な磁気装置を提供する。【解決手段】両手首および両足首の４つの取付部位１０のうちの少なくとも一つに取付けて使用される磁気装置１であって、２個以上を有し、そのうちの少なくとも２つが上記取付部位１０を挟むように配置され、それぞれの磁束密度が２５００ガウス以上、吸着力が７．５ｋｇ以上、最大エネルギー積（ｋＪ／ｍ３）が２００以上の永久磁石３を具備する。【選択図】図２
2008005970.tif 000002
【特許請求の範囲】
【請求項１】
両手首および両足首の４つの取付部位のうちの少なくとも一つに取付けて使用される磁気装置であって、
２個以上を有し、そのうちの少なくとも２つが上記取付部位を挟むように配置され、それぞれ磁束密度が２５００ガウス以上、吸着力が７．５ｋｇ以上、最大エネルギー積（ｋＪ／ｍ３）が２００以上の永久磁石を具備することを特徴とする磁気装置。
【請求項２】
請求項１に記載の磁気装置において、
前記取付部位に装着可能な概略Ｕ字状に形成され、かつ外側に前記永久磁石が取付けられた装着部材と、その装着部材の前記取付部位に対する着脱を可能とする面ファスナー、バンドまたはベルトとを備えることを特徴とする磁気装置。
【請求項３】
請求項２に記載の磁気装置において、
前記装着部材は、非磁性金属または樹脂により形成され、ほぼ一定形状を保持できるようになっていることを特徴とする磁気装置。
【請求項４】
請求項１乃至３のいずれかに記載の磁気装置において、
前記永久磁石に、磁束密度が４５００ガウス以上、吸着力が１５ｋｇ以上、最大エネルギー積（ｋＪ／ｍ３）が２００以上のものを用いることを特徴とする磁気装置。
【請求項５】
請求項１乃至４のいずれかに記載の磁気装置において、
前記永久磁石に、ネオジム製のものを用いることを特徴とする磁気装置。
【発明の詳細な説明】
【技術分野】
【０００１】
本発明は、偏頭痛等の解消などに寄与する血液活性磁気装置に関する。
【背景技術】
【０００２】
磁気装置として、例えば８００ガウス程度のものを患部に貼付けてコリをほぐすものが一般に知られている。
【非特許文献１】ピップフジモト株式会社製のエレキバンの取扱説明書
【発明の開示】
【発明が解決しようとする課題】
【０００３】
ところで、上記８００ガウス程度の磁気装置では肩コリ等の解消には有効であっても、偏頭痛等の解消に用いても効果を期待できないでいた。
【０００４】
本発明は、このような事情に鑑みてなされたもので、偏頭痛等の解消に有効な血液活性磁気装置を提供することを目的とする。
【課題を解決するための手段】
【０００５】
本発明の請求項１に係る磁気装置は、両手首および両足首の４つの取付部位のうちの少なくとも一つに取付けて使用される磁気装置であって、２個以上を有し、そのうちの少なくとも２つが上記取付部位を挟むように配置され、それぞれ磁束密度が２５００ガウス以上、吸着力が７．５ｋｇ以上、最大エネルギー積（ｋＪ／ｍ３）が２００以上の永久磁石を具備することを特徴とする。
【０００６】
本発明の請求項２に係る磁気装置は、請求項１に記載の磁気装置において、前記取付部位に装着可能な概略Ｕ字状に形成され、かつ外側に前記永久磁石が取付けられた装着部材と、その装着部材の前記取付部位に対する着脱を可能とする面ファスナー、バンドまたはベルトとを備えることを特徴とする。
【０００７】
本発明の請求項３に係る磁気装置は、請求項２に記載の磁気装置において、前記装着部材は、非磁性金属または樹脂により形成され、ほぼ一定形状を保持できるようになっていることを特徴とする。
【０００８】
本発明の請求項４に係る磁気装置は、請求項１乃至３のいずれかに記載の磁気装置において、前記永久磁石に、磁束密度が４５００ガウス以上、吸着力が１５ｋｇ以上、最大エネルギー積（ｋＪ／ｍ３）が２００以上のものを用いることを特徴とする。
【０００９】
本発明の請求項５に係る磁気装置は、請求項１乃至４のいずれかに記載の磁気装置において、前記永久磁石に、ネオジム製のものを用いることを特徴とする。
【発明の効果】
【００１０】
本発明による場合には、磁束密度が２５００ガウス以上、吸着力が７．５ｋｇ以上、最大エネルギー積（ｋＪ／ｍ３）が２００以上である少なくとも２つの永久磁石が、両手首および両足首の４つの取付部位のうちの少なくとも一つに対し、取付部位を挟むように配置される。このような配置関係を採ることにより、偏頭痛等が早期に解消される。
【００１１】
請求項２の発明による場合には、装着部材の内側に手首または足首を入れて面ファスナー（またはバンドまたはベルト）を閉状態にすることで取付部位への装着が可能となる。そして、面ファスナー（またはバンドまたはベルト）を開状態にすることで取付部位から外すことができる。
【００１２】
請求項３の発明による場合には、永久磁石を取付ける装着部材に軟質製のものを用いると、永久磁石の磁力が強力であるために永久磁石同士がその磁力で強固に付着して離れ難くなるが、装着部材に非磁性金属または樹脂により形成されたものを用いると、装着部材がほぼ一定形状を保持するため永久磁石同士が付着することがなく、取り扱い性に優れる。
【００１３】
請求項４の発明による場合には、磁束密度が４５００ガウス以上、吸着力が１５ｋｇ以上、最大エネルギー積（ｋＪ／ｍ３）が２００以上の永久磁石を用いる場合には、より確実に偏頭痛等の早期解消が可能になる。
【００１４】
請求項５の発明による場合には、磁束密度が２５００ガウス以上、吸着力が７．５ｋｇ以上、最大エネルギー積（ｋＪ／ｍ３）が２００以上の永久磁石として市販のネオジム製のものを用いることができ、製造コストを低く抑えることが可能になる。
【発明を実施するための最良の形態】
【００１５】
以下に、本発明を具体的に説明する。
【００１６】
図１は本実施形態に係る磁気装置を示す外観斜視図である。
【００１７】
この血液活性磁気装置１は、概略Ｕ字状に形成された装着部材２と、装着部材２の外側に取付けられた一対の永久磁石３と、装着部材２の両端がある開口２ａ側に設けられた面ファスナー４とを備える。
【００１８】
装着部材２は、上述したように概略Ｕ字状に形成されていて、図２に示すように開口２ａ側から取付部位（手首または足首）１０に装着される。面ファスナー４は、一対の帯状片４ａ、４ｂを有し、一方の帯状片４ａは起毛のみからなり、他方の帯状片４ｂには起毛に係止する多数の鈎を有する鈎部４ｃが設けられ、その鈎部４ｃを一方の帯状片４ａに係止することで閉じた状態になる。逆に、非係止にすることで面ファスナー４は開いた状態になる。よって、装着部材２を取付部位１０に装着し、面ファスナー４を閉じた状態にすることで、装着部材２は取付部位１０に装着される。面ファスナー４を開いた状態にすることで、取り外すことができる。
【００１９】
装着部材２の開口２ａ側には、上記一対の永久磁石３が取付けられていて、上述した装着状態において、一対の永久磁石３は取付部位１０を挟む位置関係で配されている。装着部材２は、非磁性金属、例えばオーステナイト系ステンレス鋼により形成されていて、永久磁石３からの磁気を邪魔せずに取付部位１０へ及ぼすように構成され、更に、装着部材２の永久磁石３が取付けられている部分には、円柱状の永久磁石３に対応して丸孔２ｂが形成されている。永久磁石３の装着部材２への取付けは、本実施形態では溶接により行われているが、溶接に限らず、接着、貼着などでもよい。
【００２０】
各永久磁石３は、磁束密度が２５００ガウス以上、吸着力が７．５ｋｇ以上、最大エネルギー積（ｋＪ／ｍ３）が２００以上、好ましくは４５００ガウス以上、吸着力が１５ｋｇ以上、最大エネルギー積（ｋＪ／ｍ３）が２００以上のものを用いている。このような特性の永久磁石３としては、例えばネオジム製のものが市販されていて容易に入手でき、製造コストを低く抑えることが可能になる。
【００２１】
なお、上述したように装着部材２の材質としてステンレス鋼などの金属を用いる理由は、永久磁石３の高い磁束密度にも関係している。即ち、装着部材２として布などの軟質材料を用いた場合には、両永久磁石３が磁力により付着してしまうと、両永久磁石３を引き離すことが非常に困難となって取り扱い性が悪化するので、両永久磁石３が磁力により付着することを防止して取り扱い性を向上させるために、ほぼ一定形状を保持できる硬質の材料を用いることが好ましいからである。装着部材２の材質としては、非磁性金属の他に、樹脂などが好適に使用される。
【００２２】
また、各永久磁石３の外側には、磁界により永久磁石３に直接的に金属等からなる物品が付着すると外し難くなるので、直接的に付着しないようにカバー５が取付けられている。カバー５としては、例えばゴム等が用いられる。永久磁石３の磁極の方向に関しては、両永久磁石３の内側を同極に（または外側を同極に）設定しておくことが好ましい。つまり、２個以上の磁気装置１を同時に用いたり或いは保管したりする場合などで、相互に近接する磁気装置１の永久磁石３同士が同極となって付着し難くなるからである。
【００２３】
以上のように構成された本実施形態の血液活性磁気装置１は、磁束密度が２５００ガウス以上、吸着力が７．５ｋｇ以上、最大エネルギー積（ｋＪ／ｍ３）が２００以上の一対の永久磁石３が、両手首および両足首の４つの取付部位１０のうちの少なくとも一つに対し、取付部位１０を挟むように配置される。このような配置関係を採ることにより、偏頭痛が早期に解消されることとなる。その理由としては、血液中の大部分を占める赤血球の主役であるヘモグロビンが鉄分を主成分とし、そのヘモグロビンが磁気により活性化され、活性化した血液が全身を循環するからではないかと考えられる。よって、偏頭痛が起こる頭部に装着するのではなく、頭部から離れた手首や足首に装着しても偏頭痛の解消に寄与すると思量される。
【００２４】
ここで、磁束密度が２５００ガウス以上、吸着力が７．５ｋｇ以上、最大エネルギー積（ｋＪ／ｍ３）が２００以上の永久磁石３を用いる理由は、磁束密度が２５００ガウスよりも小さい磁石、或いは吸着力が７．５ｋｇよりも小さい磁石、或いは最大エネルギー積（ｋＪ／ｍ３）が２００よりも小さい磁石を用いると、偏頭痛解消の効果が期待できないからである。また、取付部位１０を挟むように２つの永久磁石３を配置するのは、取付部位１０に１つの永久磁石３を配置した場合や、取付部位１０を挟むことなく取付部位１０の周りに永久磁石を配置した場合には、偏頭痛解消の効果を期待できないからである。更に、４つの取付部位１０のうちの少なくとも一つに対して磁気装置１を装着するのは、血液が全身を循環しているので、１つの取付部位１０に装着した場合であっても、偏頭痛解消の効果が期待できるからである。但し、２つの取付部位に磁気装置１を取付けた場合には、血液の活性化が著しくなり、概ね１時間以内に偏頭痛が和らいだという症例もある。特に、磁束密度が４５００ガウス以上、吸着力が１５ｋｇ以上、最大エネルギー積（ｋＪ／ｍ３）が２００以上の永久磁石３を用いる場合には、より確実に偏頭痛の早期解消が可能になる。
【００２５】
なお、上述した実施形態では装着部材に一対の永久磁石を、取付部位を挟む位置関係で配した構成としているが、本発明はこれに限らない。例えば３個以上の永久磁石を装着部材に配した構成としてもよい。但し、その構成において、取付部位の周りに３個以上の永久磁石を配置してもよいが、少なくとも２つの永久磁石が取付部位を挟む位置関係になるように配置することが好ましい。
【００２６】
また、上述した実施形態では面ファスナーを備えた構成としているが、本発明はこれに限らず、例えば時計などに用いるバンドやベルトなどを備えた構成としてもよい。
【００２７】
更に、上述した説明では、本発明の磁気装置による効果として偏頭痛解消を挙げているが、その他、乗り物酔い、映画館などの人混みで起こる酔い、或いはアレルギーなどの慢性的な病気に対しても効果が期待できる。
【図面の簡単な説明】
【００２８】
【図１】本発明の一実施形態に係る磁気装置を示す外観斜視図である。
【図２】図１の磁気装置を取付部位に取付けた状態を模式的に示す断面図である。
【符号の説明】
【００２９】
１    磁気装置
２    装着部材
３    永久磁石
４    面ファスナー
５    カバー
１０    取付部位（手首または足首）
【図１】
2008005970.tif 000003
【図２】
2008005970.tif 000004